(57)【特許請求の範囲】
【請求項１】
パワーデバイスと、
前記パワーデバイスの物理状態を測定し、前記物理状態に応じた信号を発信するセンサと、
前記パワーデバイスの主電流が流れる主電極端子と、
前記センサに接続され前記センサからの信号を受けるセンサ用信号端子と、
前記パワーデバイスを駆動する駆動電力を受ける駆動用端子と、
前記パワーデバイス、前記センサ、前記主電極端子、前記センサ用信号端子および前記駆動用端子を収容する有底無蓋のケースと、を備え、
前記センサ用信号端子および前記駆動用端子は、
前記ケースの内側壁面から離れて設けられた第１の端子および第２の端子を有し、前記第１および第２の端子は、電気的に導通して２重構造をなす半導体装置。
【請求項２】
前記第１の端子は、
先端部が前記ケースの上面から外部に突出する長さを有し、外部との間で前記信号および前記駆動電力の入出力を行い、
前記第２の端子は、
先端部が前記ケースの上面から外部に突出しない長さを有する、請求項１記載の半導体装置。
【請求項３】
前記半導体装置は、
前記ケース内の前記パワーデバイスの上方に配置され、前記パワーデバイスの駆動を制御する制御基板をさらに備え、
前記第１および第２の端子は、
先端部が前記ケースの上面から外部に突出しない長さを有し、
前記第２の端子は、先端部が前記制御基板に接続される長さを有し、前記制御基板との間で前記信号および前記駆動電力の入出力を行う、請求項１記載の半導体装置。
【請求項４】
パワーデバイスと、
前記パワーデバイスの物理状態を測定し、前記物理状態に応じた信号を発信するセンサと、
前記パワーデバイスの主電流が流れる主電極端子と、
前記センサに接続されるセンサ用信号端子と、
前記パワーデバイスを駆動するための駆動電力を受ける駆動用端子と、
前記パワーデバイス、前記センサ、前記主電極端子、前記センサ用信号端子および前記駆動用端子を収容する有底無蓋のケースと、を備え、
前記センサ用信号端子および前記駆動用端子は、
前記ケースの内側壁面から離れて設けられ、先端部が前記ケースの上面から外部に突出する長さの第１の端子または、先端部が前記ケースの上面から外部に突出しない長さの第２の端子を有し、
前記第１および第２の端子は、前記ケース内に設けられた端子係合部に取り付けられる半導体装置。
【請求項５】
前記第１の端子が前記端子係合部に取り付けられ、
外部との間で前記信号および前記駆動電力の入出力を行う、請求項４記載の半導体装置。
【請求項６】
前記半導体装置は、
前記ケース内の前記パワーデバイスの上方に配置され、前記パワーデバイスの駆動を制御する制御基板をさらに備え、
前記第２の端子が前記端子係合部に取り付けられ、
前記第２の端子は、先端部が前記制御基板に接続される長さを有し、前記制御基板との間で前記信号および前記駆動電力の入出力を行う、請求項４記載の半導体装置。
【請求項７】
前記半導体装置は、
前記ケース内の前記パワーデバイスの上方に配置され、先端部が前記ケースの上面から外部に突出する長さの外部入出力用端子と、前記外部入出力用端子に続続された配線パターンとを有した内部配線基板をさらに備え、
前記第２の端子が前記端子係合部に取り付けられ、
前記第２の端子は、先端部が前記内部配線基板に接続される長さを有し、前記配線パターンおよび前記外部入出力用端子を介して、外部との間で前記信号および前記駆動電力の入出力を行う、請求項４記載の半導体装置。
【請求項８】
前記ケース内は、樹脂で充填される、請求項１または請求項４記載の半導体装置。
【請求項９】
前記ケース内は、樹脂で充填され、
前記ケースの上面を覆うように設けられた蓋をさらに備え、
前記第１の端子は、前記蓋を貫通して前記蓋の上面から外部に突出する、請求項２または請求項５記載の半導体装置。
【請求項１０】
前記制御基板は、
先端部が前記ケースの上面から外部に突出する長さの外部入出力用端子を有し、
前記ケース内は、樹脂で充填され、
前記ケースの上面を覆うように設けられた蓋をさらに備え、
前記外部入出力用端子は、前記蓋を貫通して前記蓋の上面から外部に突出する、請求項３または請求項６記載の半導体装置。
【請求項１１】
前記ケース内は、樹脂で充填され、
前記ケースの上面を覆うように設けられた蓋をさらに備え、
前記主電極端子は、先端部が前記ケースの上面から外部に突出する長さを有し、
前記蓋は、制御端子および電極端子を内蔵し、
前記制御端子の一方端に前記第１の端子を接続し、前記制御端子の他方端は前記蓋の上面から外部に突出し、
前記電極端子の一方端に前記主電極端子を接続し、前記電極端子の他方端は前記蓋の上面から外部に突出し、
前記主電極端子および前記第１の端子は、プレスフィット端子を含む、請求項２または請求項５記載の半導体装置。
【発明の詳細な説明】
【技術分野】
【０００１】
本発明は半導体装置に関し、特に電力用半導体装置に関する。
【背景技術】
【０００２】
一般に、インテリジェントパワーモジュール（ＩＰＭ：Intelligent Power Module）は、絶縁ゲート型バイポーラトランジスタ（ＩＧＢＴ：Insulated Gate Bipolar Transistor）、ＭＯＳＦＥＴ（Metal-Oxide-Semiconductor Field-Effect Transistor）、還流ダイオード（ＦＷＤ：Free Wheeling Diode））等のパワーデバイスを搭載すると共に、パワーデバイスの駆動を制御する機能も備えている。さらに、ＩＰＭにはパワーデバイスの温度、電流値等を検出して、それらの情報を信号として発信する種々のセンサも有しており、各センサが発信する信号を用いてパワーデバイスを過熱、過電流等から保護する機能を備えている。このようにパワーデバイスの駆動の制御機能および保護機能を備えたＩＰＭはパッケージ化され、例えば、特許文献１に開示されるように、インバータ装置の逆変換部等に使用される。
【先行技術文献】
【特許文献】
【０００３】
【特許文献１】特開平６−３０３７７８号公報
【発明の概要】
【発明が解決しようとする課題】
【０００４】
特許文献１に開示されるように、従来のＩＰＭでは、パワーデバイス、センサ部、パワーデバイスの駆動の制御回路および保護動作の制御回路がパッケージ内に収められている。このため、駆動または保護動作の制御について仕様を変更する際には、ＩＰＭ全体での設計変更が必要となるだけでなく、ＩＰＭ以外のＩＧＢＴモジュール、ＭＯＳトランジスタモジュールとして構成しようとすると、大幅な設計変更が必要であり、製造コストが増大すると言う問題があった。
【０００５】
本発明は、上述の問題点を解決するためになされたもので、モジュールの種類を変更することが容易な半導体装置を提供することを目的とする。
【課題を解決するための手段】
【０００６】
本発明に係る半導体装置は、パワーデバイスと、前記パワーデバイスの物理状態を測定し、前記物理状態に応じた信号を発信するセンサと、前記パワーデバイスの主電流が流れる主電極端子と、前記センサに接続され前記センサからの信号を受けるセンサ用信号端子と、前記パワーデバイスを駆動する駆動電力を受ける駆動用端子と、前記パワーデバイス、前記センサ、前記主電極端子、前記センサ用信号端子および前記駆動用端子を収容する有底無蓋のケースと、を備え、前記センサ用信号端子および前記駆動用端子は、前記ケースの内側壁面から離れて設けられた第１の端子および第２の端子を有し、前記第１および第２の端子は、電気的に導通して２重構造をなす。
【発明の効果】
【０００７】
本発明に係る半導体装置によれば、第１および第２の端子が電気的に導通して２重構造をなしているので、モジュールの種類を変更する場合には、モジュールの種類に応じて第１および第２の端子のうち一方を使用すれば良く、部品の共通化を実現して、製造コストの削減が可能となる。
【図面の簡単な説明】
【０００８】
【図１】本発明の前提技術を説明するためのＩＰＭの構成を示す分解図である。
【図２】本発明の前提技術を説明するためのＩＰＭの構成を示す断面図である。
【図３】本発明の前提技術を説明するためのＩＰＭのより具体的な構成を示す分解斜視図である。
【図４】本発明の前提技術を説明するためのＩＧＢＴモジュールの構成を示す断面図である。
【図５】異なるモジュール間で共通化されたコアブロックを示す断面図である。
【図６】共通化されたコアブロックを使用して構成されたＩＰＭを示す断面図である。
【図７】ユーザーＰＣＢを上方から見た平面図である。
【図８】本発明に係る実施の形態１のコアブロックの構成を示す断面図である。
【図９】本発明に係る実施の形態１のコアブロックを使用して構成されたＩＧＢＴモジュールを示す断面図である。
【図１０】本発明に係る実施の形態１のコアブロックを使用して構成されたＩＰＭを示す断面図である。
【図１１】ユーザーＰＣＢを上方から見た平面図である。
【図１２】本発明に係る実施の形態２のコアブロックの構成を示す断面図である。
【図１３】本発明に係る実施の形態２のコアブロックの構成を示す断面図である。
【図１４】本発明に係る実施の形態２のコアブロックの構成を示す断面図である。
【図１５】端子係合部および中継用端子の構成を示す斜視図である。
【図１６】本発明に係る実施の形態２のコアブロックを使用して構成されたＩＰＭを示す断面図である。
【図１７】本発明に係る実施の形態３のＩＧＢＴモジュールの構成を示す断面図である。
【図１８】本発明に係る実施の形態３のＩＰＭの構成を示す断面図である。
【図１９】ケース内に樹脂材を充填した構成を示す断面図である。
【図２０】ケース内に樹脂材を充填した構成を示す断面図である。
【図２１】ケース内に樹脂材を充填すると共に、ケースの開口部を蓋で覆った構成を示す断面図である。
【図２２】ケース内に樹脂材を充填すると共に、ケースの開口部を蓋で覆った構成を示す断面図である。
【図２３】ケースの開口部を覆う蓋の構成を示す断面図である。
【図２４】プレスフィット端子の構成を示す図である。
【発明を実施するための形態】
【０００９】
＜はじめに＞
実施の形態の説明に先立って、本発明の前提技術について説明する。図１は、本発明の前提技術となるＩＰＭ７０の構成を示す分解図であり、コアブロック３０および制御基板３２の構成を模式的に示す断面図である。なお、コアブロックとは、パワーデバイスなどを含む半導体装置と、当該半導体装置を収容するケース等で構成されるモジュールの総称である。
【００１０】
図１に示すように、コアブロック３０では金属等のベース板３４の上に樹脂等の絶縁材で構成されたケース３６が配置される。ケース３６の内側において、ベース板３４上には配線パターン３８が、例えば、はんだ４０を介して接合されている。配線パターン３８の上面には絶縁基板４２が配置されている。絶縁基板４２の上面には配線パターン４４が配置され、配線パターン４４の上面にはパワーデバイス４６およびセンサ４７が、はんだ４８によって接合される。センサ４７はパワーデバイスの温度に応じた信号およびパワーデバイス４６を流れる電流に応じた信号など、パワーデバイスの物理状態を計測し、物理状態に応じた信号を発信する。なお、配線パターン３８および４４は、アルミナセラミックス等で構成される絶縁基板４２上に、例えばＤＣＢ（Direct Copper Bond）法で銅パターンを直接接合することで形成されている。
【００１１】
ケース３６の内側には、絶縁基板４２の外側にセンサ用信号端子２００および駆動用端子２２０と、主電極端子５６が配置されている。センサ用信号端子２００、駆動用端子２２０および主電極端子５６と絶縁基板４２の間には一定のスペースが設けられている。ここで、センサ用信号端子２００、駆動用端子２２０および主電極端子５６は複数設けられているが、図１においては重なっているため１本の端子として示されている。
【００１２】
センサ用信号端子２００はセンサ４７に接続され、センサ４７からの信号を受ける。駆動用端子２２０は、外部からパワーデバイス４６を駆動するための駆動電力を受け、パワーデバイス４６に供給する。また、主電極端子５６はパワーデバイス４６の主電流が流れる端子であり、パワーデバイス４６と主電極端子５６は電力配線用ボンディングワイヤ５８で接続される。また、パワーデバイス４６とセンサ用信号端子２００および駆動用端子２２０は信号配線用ボンディングワイヤ６０で接続される。
【００１３】
制御基板３２は、プリント基板６２を備え、プリント基板６２上には、図示されない回路パターンと、当該回路パターンによって互いに接続される集積回路６６および制御回路６８が設けられ、パワーデバイス４６の駆動の制御およびセンサ４７が出力する信号に応じたパワーデバイス４６の保護動作の制御を行う。また、プリント基板６２上には、外部入出力用端子６４が設けられている。
【００１４】
制御基板３２はケース３６の開口部からケース３６内に挿入され、センサ用信号端子２００および駆動用端子２２０がプリント基板６２に設けられたスルーホール（不図示）に挿入されて接合されることで、コアブロック３０と制御基板３２とが接続されてＩＰＭ７０を構成する。なお、センサ用信号端子２００および駆動用端子２２０と制御基板３２の接合方法には、はんだ付け、コネクタによる接続、超音波接合および溶接を用いることができる。
【００１５】
その後、ケース３６の開口部から樹脂材を流し入れて絶縁基板４２および絶縁基板４２に搭載されたパワーデバイス４６等を樹脂ＲＳで覆い、ケース３６の開口部を蓋７２で覆うことで、図２に示されるＩＰＭ７０が得られる。なお、蓋７２には制御基板３２上の外部入出力用端子６４の先端部が挿入されるスルーホール（不図示）が設けられており、外部入出力用端子６４の先端部が当該スルーホールを介して、外部に突出して構成となる。
【００１６】
図３は図２に示したＩＰＭ７０のより具体的な構成の一例を示す分解斜視図である。図３に示されるように、コアブロック３０の上部に制御基板３２が配置され、コアブロック３０と制御基板３２とは、センサ用信号端子２００および駆動用端子２２０を介して接続される。さらに制御基板３２の上部に蓋７２が配置される。なお、主電極端子５６は、ケース３６の壁面に埋め込まれ、その先端部がケース３６の壁面の端面から外部に突出する。
【００１７】
以上説明したように、ＩＰＭ７０では、コアブロック３０と制御基板３２は別個に構成されており、制御基板３２を独立して設計することが可能である。このため、駆動および保護動作の仕様変更を行う際には、制御基板３２のみを変更をすれば良く、仕様変更に際してＩＰＭ全体での設計変更を行う場合に比べて仕様の変更が容易になる。また、制御基板３２を独立させたことにより、コアブロック３０を標準化することが可能となり、開発期間の短縮が可能になる。
【００１８】
また、上記ではＩＰＭ７０の構成について説明したが、制御基板３２を有さず、単なるＩＧＢＴモジュールまたはＭＯＳトランジスタモジュールとしてコアブロック３０を使用することもできる。図４はコアブロック３０を使用して構成されたＩＧＢＴモジュール８０を示す断面図である。なお、図４においては、図２を用いて説明したＩＰＭ７０と同一の構成については同一の符号を付し、重複する説明は省略する。
【００１９】
図４に示されるようにＩＧＢＴモジュール８０においては、センサ用信号端子２００および駆動用端子２２０は、主電極端子５６と同様にケース３６の側壁に埋め込まれ、その先端部がケース３６の壁面の端面から外部に突出する構成となっている。
【００２０】
このように、コアブロック３０を使用してＩＧＢＴモジュールおよびＭＯＳトランジスタモジュールを構成することができるが、ＩＰＭ７０とＩＧＢＴモジュール８０とでは、コアブロック３０を共通化できていない。
【００２１】
そこで発明者達は、ＩＰＭ、ＩＧＢＴモジュールおよびＭＯＳトランジスタモジュールで、コアブロックを共通化するための構成として、図５に示すコアブロック３０１を開発した。
【００２２】
図５は、コアブロック３０１を使用して構成されたＩＧＢＴモジュール８０１を示す断面図である。なお、図５においては、図２を用いて説明したＩＰＭ７０と同一の構成については同一の符号を付し、重複する説明は省略する。
【００２３】
図５に示されるようにＩＧＢＴモジュール８０１においては、センサ用信号端子２００および駆動用端子２２０の何れも、ケース３６の側壁に埋め込まれ、先端部がケース３６の壁面の端面から外部に突出する外部接続用端子ＯＴと、ケース３６の側壁には埋め込まれず、先端部がケース３６内から突出しない中継用端子ＲＴを有した２重構造となっている。すなわち、外部接続用端子ＯＴおよび中継用端子ＲＴは共通の端子パッドＴＰを有し、電気的に導通した構成となっている。従って、コアブロック３０１を使用してＩＧＢＴモジュール８０１を構成する場合は、外部接続用端子ＯＴを用いて外部との間で駆動電力信号および信号の入出力を行うことができる。一方、中継用端子ＲＴはケース３６内に収まっているので、蓋７２によってケース３６の開口部が覆われることで、中継用端子ＲＴが外部と接触することはない。
【００２４】
なお、図５においては、ケース３６の側壁に埋め込まれた主電極端子５６も、外部接続用端子ＯＴおよび中継用端子ＲＴも、プレスフィット端子で構成された例を示しているが、はんだ端子で構成しても良い。
【００２５】
図６は、コアブロック３０１を使用して構成されたＩＰＭ７０１を示す断面図である。なお、図６においては、図２を用いて説明したＩＰＭ７０と同一の構成については同一の符号を付し、重複する説明は省略する。
【００２６】
図６に示されるようにＩＰＭ７０１においては、センサ用信号端子２００および駆動用端子２２０の中継用端子ＲＴがプリント基板６２に設けられたスルーホール（不図示）に挿入されて接合されることで、コアブロック３０１と制御基板３２とが接続され、制御基板３２上に設けられた外部入出力用端子６４の先端部は、蓋７２に設けられたスルーホール（不図示）を介して外部に突出している。
【００２７】
ここで、ＩＰＭ７０１の上部には、ユーザープリント回路基板（ＰＣＢ：printed circuit board）５１が搭載されており、外部入出力用端子６４の先端部および主電極端子５６の先端部は、ユーザーＰＣＢ５１のスルーホール（不図示）に挿入されて接合されることで、ＩＰＭ７０１とユーザーＰＣＢ５１とが接続される。
【００２８】
ＩＰＭ７０１の制御基板３２は、パワーデバイスの駆動の制御回路および保護動作の制御回路を有し、パワーデバイスの駆動の制御およびセンサ４７が出力する信号に応じたパワーデバイスの保護動作の制御を行うが、ＩＰＭを動作させるための信号回路（フォトカプラ等）、電源回路、ＭＣＵ（memory control unit）等の電気部品は制御基板３２には搭載されていないので、ＩＰＭ７０１の使用者が所望するスペックに合わせてこれらの回路を設計し、ユーザーＰＣＢ５１に実装することとなる。
【００２９】
ここで問題となるのは、先端部がケース３６の壁面の端面から外部に突出する外部接続用端子ＯＴの存在である。外部接続用端子ＯＴは中継用端子ＲＴと電気的に導通しているので、先端部がユーザーＰＣＢ５１上の電気的な部品と接触することは望ましくない。そのため、外部接続用端子ＯＴの先端部も、ユーザーＰＣＢ５１に設けられたスルーホール（不図示）に挿入されて接合される構成となっている。もちろん、外部接続用端子ＯＴの先端部が挿入されたスルーホールは、互いに接触することなく、ユーザーＰＣＢ５１上の電気的な部品と接触することもない。
【００３０】
図７にユーザーＰＣＢ５１を上方から見た場合の平面図を示す。図７に示すように、ユーザーＰＣＢ５１においては、外部入出力用端子６４の配列位置に対応して設けられたスルーホールＴＨ１と、主電極端子５６の配列位置に対応して設けられたスルーホールＴＨ２と、外部接続用端子ＯＴの配列位置に対応して設けられたスルーホールＴＨ３とが設けられている。スルーホールＴＨ１〜ＴＨ３は何れも列をなすように複数設けられている。
【００３１】
このような構成において、スルーホールＴＨ３の配列よりも外側（ＩＰＭ７０１の上部ではない側）に設けられた電気部品を、例えば、スルーホールＴＨ１と電気的に接続させるためには、スルーホールＴＨ３の配列を迂回するような配線パターンＰＰを設けなければならず、ユーザーＰＣＢ５１の絶縁設計、パターン設計などの設計の自由度が損なわれる可能性が高い。そこで発明者達は、本発明としてさらに使い勝手の良いコアブロックを開発した。以下、本発明に係る実施の形態について説明する。
【００３２】
＜実施の形態１＞
図８は、本発明に係る実施の形態１のコアブロック１００の構成を示す断面図である。なお、図８においては、図２を用いて説明したＩＰＭ７０と同一の構成については同一の符号を付し、重複する説明は省略する。
【００３３】
図８に示されるようにコアブロック１００においては、センサ用信号端子２００および駆動用端子２２０の何れも、ケース３６の内側壁面から離れて設けられ、先端部がケース３６の外部に突出する外部接続用端子ＯＴ１（第１の端子）と先端部がケース３６内から突出しない中継用端子ＲＴ１（第２の端子）を有した２重構造となっている。すなわち、外部接続用端子ＯＴ１および中継用端子ＲＴ１は共通の端子パッドＴＰを有し、電気的に導通した構成となっている。従って、コアブロック１００を使用してＩＧＢＴモジュールまたはＭＯＳトランジスタモジュールを構成する場合は、外部接続用端子ＯＴ１を用いて外部との間で駆動電力および信号の入出力を行うことができる。
【００３４】
図９は、コアブロック１００を使用して構成されたＩＧＢＴモジュール８００を示す断面図である。図９に示されるようにＩＧＢＴモジュール８００においては、外部接続用端子ＯＴ１を用いて外部との間で駆動電力および信号の入出力を行う。
【００３５】
一方、中継用端子ＲＴ１はケース３６内に収まっているので、蓋７２によってケース３６の開口部が覆われることで、中継用端子ＲＴ１が外部と接触することはなく、容易にＩＧＢＴモジュールを得ることができる。
【００３６】
図１０は、コアブロック１００を使用して構成されたＩＰＭ７００を示す断面図である。なお、図１０においては、図６を用いて説明したＩＰＭ７０１と同一の構成については同一の符号を付し、重複する説明は省略する。
【００３７】
図１０に示されるようにＩＰＭ７００においては、センサ用信号端子２００および駆動用端子２２０の中継用端子ＲＴ１がプリント基板６２に設けられたスルーホール（不図示）に挿入されて接合されることで、コアブロック１００と制御基板３２とが接続され、制御基板３２との間で駆動電力および信号の入出力を行う。また、制御基板３２上に設けられた外部入出力用端子６４の先端部は、蓋７２に設けられたスルーホール（不図示）を介して外部に突出している。
【００３８】
一方、センサ用信号端子２００および駆動用端子２２０の外部接続用端子ＯＴ１は、ケース３６内に収まるように切断され、ケース３６から突出しない構成となっている。従って、ケース３６から突出するのは外部入出力用端子６４の先端部と、ケース３６の側壁に埋め込まれた主電極端子５６の先端部のみとなり、容易にＩＰＭを得ることができる。
【００３９】
なお、図１０においては、ケース３６の側壁に埋め込まれた主電極端子５６も、外部接続用端子ＯＴ１および中継用端子ＲＴ１も、プレスフィット端子で構成された例を示しているが、はんだ端子で構成しても良い。
【００４０】
ここで、ＩＰＭ７００の上部には、ユーザーＰＣＢ５０が搭載されており、外部入出力用端子６４の先端部および主電極端子５６の先端部は、ユーザーＰＣＢ５０のスルーホール（不図示）に挿入されて接合されることで、ＩＰＭ７００とユーザーＰＣＢ５０とが接続される。しかし、センサ用信号端子２００および駆動用端子２２０の外部接続用端子ＯＴ１は、ケース３６内に収まるように切断されているので、ユーザーＰＣＢ５０に接続されることはない。
【００４１】
図１１にユーザーＰＣＢ５１を上方から見た場合の平面図を示す。図１１に示すように、ユーザーＰＣＢ５１においては、外部入出力用端子６４の配列位置に対応して設けられたスルーホールＴＨ１と、主電極端子５６の配列位置に対応して設けられたスルーホールＴＨ２とが設けられている。スルーホールＴＨ１およびＴＨ２は何れも列をなすように複数設けられている。
【００４２】
このような構成において、ＩＰＭ７００の上部ではない側に設けられた電気部品を、例えば、スルーホールＴＨ１と電気的に接続させるためには、両者の間には障害物等がないので、直線的な配線パターンＰＰ１を設けることができ、ユーザーＰＣＢ５０の絶縁設計、パターン設計などの設計の自由度が損なわれることはない。
【００４３】
このように、本発明に係る実施の形態１のコアブロック１００においては、センサ用信号端子２００および駆動用端子２２０の何れも、ケース３６の内側壁面から離れて設けられ、先端部がケース３６の壁面の端面から外部に突出する外部接続用端子ＯＴ１と先端部がケース３６内から突出しない中継用端子ＲＴ１を有した２重構造となっているので、ＩＰＭを構成する際には不要な外部接続用端子ＯＴ１を切断すれば良く、ＩＰＭ、ＩＧＢＴモジュールおよびＭＯＳトランジスタモジュールで、コアブロックを完全に共通化することができ、製造コストの削減が可能となる。また、コアブロック１００を標準化すれば、開発期間の短縮が可能になる。
【００４４】
また、コアブロック１００と制御基板３２は別個に構成されており、制御基板３２を独立して設計することが可能である。このため、駆動および保護動作の仕様変更を行う際には、制御基板３２のみを変更をすれば良く、仕様変更に際してＩＰＭ全体での設計変更を行う場合に比べて仕様の変更が容易になる。
【００４５】
＜実施の形態２＞
図１２は、本発明に係る実施の形態２のコアブロック１００Ａの構成を示す断面図である。なお、図１２においては、図２を用いて説明したＩＰＭ７０と同一の構成については同一の符号を付し、重複する説明は省略する。
【００４６】
図１２に示されるようにコアブロック１００Ａにおいては、センサ用信号端子２００および駆動用端子２２０の何れも設けられてはおらず、ケース３６にはセンサ用信号端子２００および駆動用端子２２０を取り付けるための端子係合部ＴＥが設けられているだけである。また、パワーデバイス４６とセンサ用信号端子２００および駆動用端子２２０とを接続する信号配線用ボンディングワイヤも設けられていない。
【００４７】
このようにコアブロック１００Ａを使用してＩＧＢＴモジュールまたはＭＯＳトランジスタモジュールを構成する場合は、図１３に示すように、外部接続用端子ＯＴ２（第１の端子）を端子係合部ＴＥに取り付けてセンサ用信号端子２００および駆動用端子２２０とすることで、外部との間で駆動電力および信号の入出力を行うことができる。
【００４８】
すなわち、外部接続用端子ＯＴ２は、先端部がケース３６の壁面の端面から外部に突出する長さを有しており、端子係合部ＴＥに取り付け、端子パッドＴＰとパワーデバイス４６とを接続する信号配線用ボンディングワイヤ６０を設けることで、外部接続用端子ＯＴ２とパワーデバイス４６とが電気的に接続されることとなり、容易にＩＧＢＴモジュールを得ることができる。
【００４９】
また、コアブロック１００Ａを使用してＩＰＭを構成する場合は、図１４に示すように、中継用端子ＲＴ２（第２の端子）を端子係合部ＴＥに取り付けてセンサ用信号端子２００および駆動用端子２２０とする。そして、端子パッドＴＰとパワーデバイス４６とを接続する信号配線用ボンディングワイヤ６０を設けることで、中継用端子ＲＴ２とパワーデバイス４６とが電気的に接続されることとなり、容易にＩＰＭを得ることができる。
【００５０】
ここで、端子係合部ＴＥおよび中継用端子ＲＴ２の構成の一例を図１５に示す。図１５に示すように端子係合部ＴＥは、ケース３６の壁面の延在方向に沿って配置された樹脂で構成される端子ブロックＴＢに複数設けられている。端子係合部ＴＥのそれぞれは、中継用端子ＲＴ２の端子部ＴＴおよび端子パッドＴＰが挿入可能に端子ブロックＴＢに設けられた溝によって構成されている。この溝に中継用端子ＲＴ２を挿入し熱溶着することで、中継用端子ＲＴ２を端子係合部ＴＥに固定することができる。なお、図１５における中継用端子ＲＴ２は、はんだ端子の例を示しているがプレスフィット端子であっても良い。また、外部接続用端子ＯＴ２も同様に固定できることは言うまでもない。
【００５１】
図１６は、コアブロック１００Ａを使用してＩＰＭを構成する場合に、中継用端子ＲＴ２を端子係合部ＴＥに取り付け、中継用端子ＲＴ２がプリント基板６２に設けられたスルーホール（不図示）に挿入されて接合されることで、コアブロック１００Ａと制御基板３２とが接続された構成を示している。ＩＰＭにおいては外部接続用端子は不要であるので図１６では設けられていない。
【００５２】
このように、本発明に係る実施の形態２のコアブロック１００Ａにおいては、センサ用信号端子２００および駆動用端子２２０の何れも、外部接続用端子ＯＴ２および中継用端子ＲＴ２をモジュールの形態に合わせて取り付ける構造となっているので、ＩＰＭを構成する際には中継用端子ＲＴ２を取り付け、外部接続用端子ＯＴ２は取り付けない構成とすれば良く、ＩＰＭ、ＩＧＢＴモジュールおよびＭＯＳトランジスタモジュールで、コアブロックを完全に共通化することができ、製造コストの削減が可能となる。また、コアブロック１００Ａを標準化すれば、開発期間の短縮が可能になる。
【００５３】
なお、コアブロック１００Ａと制御基板３２は別個に構成されており、仕様の変更が容易になることは言うまでもない。
【００５４】
＜実施の形態３＞
以上説明した実施の形態１および実施の形態２においては、ＩＧＢＴモジュールまたはＭＯＳトランジスタモジュールは、外部接続用端子を用いて駆動電力および信号の入出力を行う構成を示したが、中継用端子を用いて駆動電力および信号の入出力を行う構成とすることもできる。
【００５５】
図１７は、コアブロック１００Ａを使用してＩＧＢＴモジュールまたはＭＯＳトランジスタモジュールを構成する場合において、中継用端子ＲＴ２を用いて駆動電力および信号の入出力を行う構成を示す断面図である。
【００５６】
すなわち、図１７に示されるようにコアブロック１００Ａにおいては、中継用端子ＲＴ２を端子係合部ＴＥに取り付け、中継用端子ＲＴ２が内部配線基板３２１を構成するプリント基板６２１に設けられたスルーホール（不図示）に挿入されて接合されることで、コアブロック１００Ａと内部配線基板３２１とが接続された構成を示している。内部配線基板３２１は、プリント基板６２１を備え、プリント基板６２１上には、図示されない内部配線パターンが設けられている。また、プリント基板６２１上には、外部入出力用端子６４１が設けられており、外部入出力用端子６４１と中継用端子ＲＴ２とは内部配線パターンにより電気的に接続されている。従って、パワーデバイス４６は、信号配線用ボンディングワイヤ６０、中継用端子ＲＴ２および内部配線パターンを介して外部入出力用端子６４１と電気的に接続されており、外部との間で駆動電力および信号の入出力を行うことができる。
【００５７】
外部入出力用端子６４１は、プリント基板６２１上の任意の位置に設けることができ、外部入出力用端子６４１の設計の自由度が増すことになる。
【００５８】
また、図１８にはコアブロック１００Ａを使用してＩＰＭを構成する場合に、中継用端子ＲＴ２を端子係合部ＴＥに取り付け、中継用端子ＲＴ２がプリント基板６２に設けられたスルーホール（不図示）に挿入されて接合されることで、コアブロック１００Ａと制御基板３２とが接続された構成を示している。なお、ＩＰＭにおいては外部接続用端子は不要であるので図１８では設けられていない。もちろん、プリント基板６２上に設けられる外部入出力用端子６４の位置も任意に設定可能であり、外部入出力用端子６４の設計の自由度が増すことで、さらに上方に配置されるユーザーＰＣＢの設計の自由度も増すことになる。
【００５９】
なお、図１７においてはコアブロック１００Ａを使用してＩＧＢＴモジュールまたはＭＯＳトランジスタモジュールを構成する例を説明したが、図８を用いて説明した実施の形態１のコアブロック１００を使用してＩＧＢＴモジュールまたはＭＯＳトランジスタモジュールを構成する場合にも内部配線基板３２１は同様に適用可能である。
【００６０】
＜変形例１＞
図１９は、コアブロック１００Ａを使用してＩＧＢＴモジュールまたはＭＯＳトランジスタモジュールを構成する場合において、ケース３６内に樹脂材を充填して、絶縁基板４２および絶縁基板４２に搭載されたパワーデバイス４６等を樹脂ＲＳで封止した構成を開示している。
【００６１】
また、図２０は、コアブロック１００Ａを使用してＩＰＭを構成する場合において、ケース３６内に樹脂材を充填して、絶縁基板４２および絶縁基板４２に搭載されたパワーデバイス４６等だけでなく、中継用端子ＲＴ２および制御基板３２も樹脂ＲＳで封止した構成を開示している。
【００６２】
このようにケース３６内を樹脂ＲＳで封止すると、樹脂ＲＳが固まることである程度の強度を有する固体となり、ケース３６内の構成を保護することができる。特に、外部接続用端子ＯＴ２および中継用端子ＲＴ２が外部応力により変形することを防止でき、製品出荷後に中継用端子ＲＴ２が変形することによる製品不良の発生を低減できる。この効果は、中継用端子ＲＴ２をプレスフィット端子で構成した場合に特に有効である。
【００６３】
なお、図１９および図２０においてはコアブロック１００Ａを使用する例を説明したが、図８を用いて説明した実施の形態１のコアブロック１００を使用する場合にもケース３６内を樹脂ＲＳで封止することは有効である。
【００６４】
＜変形例２＞
図２１は、コアブロック１００Ａを使用してＩＧＢＴモジュールまたはＭＯＳトランジスタモジュールを構成する場合において、ケース３６内に樹脂材を充填すると共に、ケース３６の開口部を蓋ＣＶ１で覆った構成を開示している。
【００６５】
図２１に示すように、ケース３６内から樹脂ＲＳを貫通して突出する外部接続用端子ＯＴ２、およびケース３６の壁面の端面から外部に突出する主電極端子５６は、樹脂で構成される蓋ＣＶ１に設けられたスルーホール（不図示）を介して、蓋ＣＶ１の上面から外部に突出している。
【００６６】
図２２は、コアブロック１００Ａを使用してＩＰＭを構成する場合において、ケース３６内に樹脂材を充填すると共に、ケース３６の開口部を蓋ＣＶ１で覆った構成を開示している。
【００６７】
図２２に示すように、ケース３６内から樹脂ＲＳを貫通して突出する外部入出力用端子６４、およびケース３６の壁面の端面から外部に突出する主電極端子５６は、樹脂で構成される蓋ＣＶ１に設けられたスルーホール（不図示）を介して、蓋ＣＶ１の上面から外部に突出している。
【００６８】
ここで、蓋ＣＶ１はケース３６内に樹脂材を充填する前にケース３６の開口部を覆うように設けられ、樹脂材は蓋ＣＶ１に設けた樹脂導入ホール（不図示）から導入する構成となっている。このため、外部接続用端子ＯＴ２および外部入出力用端子６４が、蓋ＣＶ１に設けられたスルーホール（不図示）に挿入された状態で樹脂材が導入されることとなり、樹脂材導入の際の外部応力により外部接続用端子ＯＴ２および外部入出力用端子６４が変形することを防止できる。
【００６９】
なお、図２１では、外部接続用端子ＯＴ２および主電極端子５６が蓋ＣＶ１を貫通する構成を示したが、この場合、外部接続用端子ＯＴ２および主電極端子５６の位置は、コアブロック１００Ａの構成で規定されてしまう。
【００７０】
しかし、図２３に示す蓋ＣＶ２のように、内部に制御端子１５および電極端子１６を内蔵し、制御端子１５の一方端に外部接続用端子ＯＴ２を接続し、制御端子１５の他方端は蓋ＣＶ２の上面の任意の位置から突出させ、また、電極端子１６の一方端に主電極端子５６を接続し、電極端子１６の他方端は蓋ＣＶ２の上面の任意の位置から突出させた構成とすることで、外部接続用端子ＯＴ２および主電極端子５６の位置を実質的に任意に設定することが可能となる。
【００７１】
なお、この場合、外部接続用端子ＯＴ２および主電極端子５６はプレスフィット端子で構成し、制御端子１５および電極端子１６の一方端には、プレスフィット端子が挿入されるスルーホールを設けるものとする。
【００７２】
ここで、外部接続用端子ＯＴ２を例に採って、図２４を用いてプレスフィット端子の構成について説明する。図２４に示すようにプレスフィット端子は先端のプレスフィット部ＰＦがバネ性を有するようにニードルアイ形状となっており、プレスフィット部ＰＦよりも狭いスルーホールＴＨに挿入されることで、スルーホールＴＨの内壁と接触を保つことができる。
【００７３】
また、制御端子１５に設けられるスルーホールＴＨは、その内面およびホールの周囲が例えば銅メッキで被覆されてメッキ層ＰＬ１となっており、さらにメッキ層ＰＬ１の表面が例えばスズメッキで被覆されてメッキ層ＰＬ２となっており、プレスフィット部ＰＦとの間の電気抵抗を低減する構成となっている。
【００７４】
なお、本発明は、その発明の範囲内において、各実施の形態を自由に組み合わせたり、各実施の形態を適宜、変形、省略することが可能である。
【符号の説明】
【００７５】
１５  制御端子、１６  電極端子、３２  制御基板、３６  ケース、４６  パワーデバイス、４７  センサ、５６  主電極端子、６４，６４１  外部入出力用端子、２００  センサ用信号端子、２２０  駆動用端子、３２１  内部配線基板、ＣＶ１，ＣＶ２  蓋、ＯＴ１，ＯＴ２  外部接続用端子、ＲＳ  樹脂、ＲＴ１，ＲＴ２  中継用端子、ＴＥ  端子係合部。
【図１】
0006559093.tif 000002
【図２】
0006559093.tif 000003
【図３】
0006559093.tif 000004
【図４】
0006559093.tif 000005
【図５】
0006559093.tif 000006
【図６】
0006559093.tif 000007
【図７】
0006559093.tif 000008
【図８】
0006559093.tif 000009
【図９】
0006559093.tif 000010
【図１０】
0006559093.tif 000011
【図１１】
0006559093.tif 000012
【図１２】
0006559093.tif 000013
【図１３】
0006559093.tif 000014
【図１４】
0006559093.tif 000015
【図１５】
0006559093.tif 000016
【図１６】
0006559093.tif 000017
【図１７】
0006559093.tif 000018
【図１８】
0006559093.tif 000019
【図１９】
0006559093.tif 000020
【図２０】
0006559093.tif 000021
【図２１】
0006559093.tif 000022
【図２２】
0006559093.tif 000023
【図２３】
0006559093.tif 000024
【図２４】
0006559093.tif 000025